(57)【要約】本発明の光ピックアップ装置は、第１レーザ光を出力する第１光源と、第２レーザ光を出力する第２光源と、第１および第２レーザ光を情報媒体へ照射する光学系とを備えた光ピックアップ装置であって、情報媒体は、ユーザデータを記録するための情報層と、ユーザが直接視認可能な視認情報を記録するための記録層とを備え、情報層へユーザデータを記録するときには第１レーザ光を出力し、記録層へ視認情報を記録するときには第２レーザ光を出力することを特徴とする。
2007069426.tif 000002
【特許請求の範囲】
【請求項１】
第１レーザ光を出力する第１光源と、
第２レーザ光を出力する第２光源と、
前記第１および第２レーザ光を情報媒体へ照射する光学系と
を備えた光ピックアップ装置であって、
前記情報媒体は、
ユーザデータを記録または再生するためのユーザデータ領域を有する情報層と、
ユーザが直接視認可能な視認情報を記録するための記録層と
を備え、
前記情報層に対して前記ユーザデータの記録または再生を行う場合には前記第１レーザ光を出力し、前記記録層に対して前記視認情報の記録を行う場合には前記第２レーザ光を出力する、光ピックアップ装置。
【請求項２】
前記第１光源および前記光学系は、前記情報層へ前記第１レーザ光を照射したときに発生する球面収差が補正されるように配置されており、
前記第２光源および前記光学系は、前記記録層へ前記第２レーザ光を照射したときに発生する球面収差が補正されるように配置されている、請求項１に記載の光ピックアップ装置。
【請求項３】
前記光学系は、前記第１および第２レーザ光を前記情報媒体へ集光させるための集光レンズを備え、
前記第１レーザ光は、略平行光の状態で前記集光レンズへ入射し、
前記第２レーザ光は、収束光の状態で前記集光レンズへ入射する、請求項１または２に記載の光ピックアップ装置。
【請求項４】
前記光学系は、Ｐ波およびＳ波の一方を反射し、他方を透過させる光学素子を備え、
前記第１および第２レーザ光の一方はＰ波であり、他方はＳ波であり、
前記第１および第２光源および前記光学素子は、前記第１および第２レーザ光の一方が光学素子を透過し、他方が前記光学素子で反射するように配置されている、請求項１から３のいずれかに記載の光ピックアップ装置。
【請求項５】
前記光学系は、
前記第１および第２レーザ光を前記情報媒体へ集光させるための集光レンズと、
前記第１光源と前記集光レンズとの間に配置され、前記情報層へ前記第１レーザ光を照射したときに発生する球面収差を補正する第１コリメートレンズと、
前記第２光源と前記集光レンズとの間に配置され、前記記録層へ前記第２レーザ光を照射したときに発生する球面収差を補正する第２コリメートレンズと
を備える、請求項１から４のいずれかに記載の光ピックアップ装置。
【請求項６】
前記光学系はコリメートレンズを備え、
前記光ピックアップ装置は、
前記コリメートレンズを支持する支持部と、
前記コリメートレンズと前記支持部とを光軸方向に移動させる駆動部と
をさらに備える、請求項１から４のいずれかに記載の光ピックアップ装置。
【請求項７】
前記第１レーザ光の発振中心波長と前記第２レーザ光の発振中心波長とは同じである、請求項１から６のいずれかに記載の光ピックアップ装置。
【請求項８】
前記第２レーザ光のパワーは前記第１レーザ光のパワーよりも大きい、請求項１から７のいずれかに記載の光ピックアップ装置。
【請求項９】
第３レーザ光を出力する第３光源と、第４レーザ光を出力する第４光源とのうちの少なくとも一方をさらに備え、
前記第３および第４レーザ光の発振中心波長は、前記第１および第２レーザ光の発振中心波長と異なる、請求項１から８のいずれかに記載の光ピックアップ装置。
【請求項１０】
請求項１から９のいずれかに記載の光ピックアップ装置と、
前記情報媒体を回転させるモーターと、
前記光ピックアップ装置を用いて前記情報層に前記ユーザデータを記録する場合には前記ユーザデータを記録するための信号を生成するとともに、前記光ピックアップ装置を用いて前記情報層に記録された前記ユーザデータを再生する場合には、前記光ピックアップ装置から得られる再生信号に基づいて前記ユーザデータを生成する記録再生部と、
前記光ピックアップ装置を用いて前記視認情報を前記記録層に記録するための信号を生成する記録信号生成部と、
前記光ピックアップ装置から出力された前記第１または第２レーザ光の光スポットが前記情報層と前記記録層とのどちらに形成されているかを判別する判別部と、
前記判別部の判別結果に基づいて前記第１光源と前記第２光源とのどちらを動作させるか選択する切換部と
を備えた、光ディスク装置。
【発明の詳細な説明】
【技術分野】
【０００１】  本発明は、データの光学的な記録および／または再生を行うための光ピックアップ装置に関し、特に、ユーザが直接視認可能な視認情報の記録が可能な光ピックアップ装置に関する。
【背景技術】
【０００２】  光ディスク媒体にディジタルデータを記録する技術の普及は、ＣＤ−Ｒの普及に始まり、その後、ＣＤ−Ｒよりも記録容量が大きいＤＶＤ−Ｒ、ＤＶＤ−ＲＷ、ＤＶＤ−ＲＡＭ等も普及している。ＣＤ−Ｒは、厚さ１．２ｍｍの透明基板と、この透明基板に支持された記録層とを備えている。ＤＶＤは、厚さ０．６ｍｍの一対の透明基板と、これらの透明基板に挟まれた記録層とを備えている。これらの記録層は、画像データ、音声データ、テキストデータおよびプログラム等のディジタルデータを記録するための層であり、色素または相変化材料を含んでいる。【０００３】  上述したような光ディスク媒体の普及に伴い、光ディスク媒体に記録されたデータの種類を簡単に識別するためのインデックス情報等を、ユーザが直接視認可能な視認情報として光ディスク媒体に記録することが求められている。このような要望に伴い、光ディスク媒体のラベル面に文字や絵を印刷することにより視認情報を記録するプリンタが販売されている。しかし、そのようなプリンタは光ディスク装置とは別に用意する必要があるため、ユーザにコスト的な負担をかけている。また、一般に、プリンタはパーソナルコンピュータの周辺機器として販売されているため、例えばＤＶＤレコーダで記録したＤＶＤにラベル印刷をするためには、パーソナルコンピュータを起動してＤＶＤをプリンタにセットする必要があり、手間および時間が掛かっていた。【０００４】  特許文献１は、ラベル記録のための感熱層を備えた光ディスク媒体と、その感熱層に視認情報を直接記録する光ディスク装置とを開示している。その光ディスク媒体は、保護基板、色素記録層、反射層、保護層、感熱層、保護層をこの順で備えている。この光ディスク装置によれば、視認情報を感熱層に記録するときは、感熱層が光ピックアップ装置と対向するように光ディスク媒体を光ディスク装置に挿入する。そして、光ディスク装置は、レーザ光を感熱層に照射することによって視認情報を感熱層に記録する。なお、搭載された光ディスク媒体の色素記録層と感熱層とのどちらが光ピックアップ装置と対向しているかの判定は、光ディスク媒体にアクセスしたときにＡＴＩＰ（Ａｂｓｏｌｕｔｅ  Ｔｉｍｅ  Ｉｎ  Ｐｒｅｇｒｏｏｖｅ）情報が検出されるか否かを判定することで行うことができる。ＡＴＩＰ情報が検出されない場合は、光ディスク装置は、光ピックアップ装置が感熱層と対向していると判定する。
【特許文献１】特開２００３−２０３３４８号公報
【発明の開示】
【発明が解決しようとする課題】
【０００５】  図９（ａ）は、光ピックアップ装置が備える集光レンズ７２０と色素記録層７１２とが対向するようにセットされた状態の光ディスク媒体７１０を示し、図９（ｂ）は、集光レンズ７２０と感熱層７１３とが対向するようにセットされた状態の情報媒体７１０を示している。【０００６】  図９（ａ）を参照して、対物レンズ７２０で集光されたレーザ光７３０は、保護基板７１１を透過して色素記録層７１２上に焦点を結ぶ。レーザ光７３０は保護基板７１１を通るときに屈折する。色素記録層７１２にレーザ光７３０の焦点を合わせるために、光ピックアップ装置の光学系は、そのような屈折等を考慮して球面収差が最小となるように設計されている。【０００７】  図９（ａ）および図９（ｂ）を参照して、保護基板７１１の表面７１１ａから色素記録層７１２までの距離と、保護層７１４の表面７１４ａから感熱層７１３までの距離とは互いに異なっている。このため、色素記録層７１２にレーザ光７３０の焦点が合うように設計された光ピックアップ装置では、球面収差の影響により感熱層７１３にはレーザ光の焦点が合わずに、光スポットがぼやけてしまう。ぼやけた光スポットを感熱層７１３上に形成すると、単位面積当たりのエネルギー密度が低下し、感熱層７１３の温度が上昇しにくいという問題がある。温度を上昇させるためにレーザ光７３０のパワーを上げるとレーザ光７３０が安定しなくなるとともにレーザ発光素子の寿命が短くなるという問題がある。レーザ光７３０のパワーを上げない場合には、感熱層７１３の発色濃度を高めるために、１発色点当たりの照射時間を長くする必要がある。１発色点当たりの照射時間を長くするためには、光ディスク媒体７１０の線速度を低下させるか、あるいは発色点に繰り返しレーザ光７３０を照射すればよいが、視認情報の記録に長い時間を要するという問題がある。【０００８】  本発明は、上記課題に鑑みてなされたものであり、その目的は、視認情報を高速に記録できる光ピックアップ装置を提供することにある。
【課題を解決するための手段】
【０００９】  本発明の光ピックアップ装置は、第１レーザ光を出力する第１光源と、第２レーザ光を出力する第２光源と、前記第１および第２レーザ光を情報媒体へ照射する光学系とを備えた光ピックアップ装置であって、前記情報媒体は、ユーザデータを記録または再生するためのユーザデータ領域を有する情報層と、ユーザが直接視認可能な視認情報を記録するための記録層とを備え、前記情報層に対して前記ユーザデータの記録または再生を行う場合には前記第１レーザ光を出力し、前記記録層に対して前記視認情報の記録を行う場合には前記第２レーザ光を出力することを特徴とする。【００１０】  ある実施形態によれば、前記第１光源および前記光学系は、前記情報層へ前記第１レーザ光を照射したときに発生する球面収差が補正されるように配置されており、前記第２光源および前記光学系は、前記記録層へ前記第２レーザ光を照射したときに発生する球面収差が補正されるように配置されている。【００１１】  ある実施形態によれば、前記光学系は、前記第１および第２レーザ光を前記情報媒体へ集光させるための集光レンズを備え、前記第１レーザ光は、略平行光の状態で前記集光レンズへ入射し、前記第２レーザ光は、収束光の状態で前記集光レンズへ入射する。【００１２】  ある実施形態によれば、前記光学系は、Ｐ波およびＳ波の一方を反射し、他方を透過させる光学素子を備え、前記第１および第２レーザ光の一方はＰ波であり、他方はＳ波であり、前記第１および第２光源および前記光学素子は、前記第１および第２レーザ光の一方が光学素子を透過し、他方が前記光学素子で反射するように配置されている。【００１３】  ある実施形態によれば、前記光学系は、前記第１および第２レーザ光を前記情報媒体へ集光させるための集光レンズと、前記第１光源と前記集光レンズとの間に配置され、前記情報層へ前記第１レーザ光を照射したときに発生する球面収差を補正する第１コリメートレンズと、前記第２光源と前記集光レンズとの間に配置され、前記記録層へ前記第２レーザ光を照射したときに発生する球面収差を補正する第２コリメートレンズとを備える。【００１４】  ある実施形態によれば、前記光学系はコリメートレンズを備え、前記光ピックアップ装置は、前記コリメートレンズを支持する支持部と、前記コリメートレンズと前記支持部とを光軸方向に移動させる駆動部とをさらに備える。【００１５】  ある実施形態によれば、前記第１レーザ光の発振中心波長と前記第２レーザ光の発振中心波長とは同じである。【００１６】  ある実施形態によれば、前記第２レーザ光のパワーは前記第１レーザ光のパワーよりも大きい。【００１７】  ある実施形態によれば、第３レーザ光を出力する第３光源と、第４レーザ光を出力する第４光源とのうちの少なくとも一方をさらに備え、前記第３および第４レーザ光の発振中心波長は、前記第１および第２レーザ光の発振中心波長と異なる。【００１８】  本発明の光ディスク装置は、前記光ピックアップ装置と、前記情報媒体を回転させるモーターと、前記光ピックアップ装置を用いて前記情報層に前記ユーザデータを記録する場合には前記ユーザデータを記録するための信号を生成するとともに、前記光ピックアップ装置を用いて前記情���層に記録された前記ユーザデータを再生する場合には、前記光ピックアップ装置から得られる再生信号に基づいて前記ユーザデータを生成する記録再生部と、前記光ピックアップ装置を用いて前記視認情報を前記記録層に記録するための信号を生成する記録信号生成部と、前記光ピックアップ装置から出力された前記第１または第２レーザ光の光スポットが前記情報層と前記記録層とのどちらに形成されているかを判別する判別部と、前記判別部の判別結果に基づいて前記第１光源と前記第２光源とのどちらを動作させるか選択する切換部とを備えることを特徴とする。
【発明の効果】
【００１９】  本発明によれば、情報媒体は、ユーザデータを記録するための情報層と、ユーザが直接視認可能な視認情報を記録するための記録層とを備え、情報層へユーザデータを記録するときには第１光源から第１レーザ光を出力し、記録層へ視認情報を記録するときには第２光源から第２レーザ光を出力する。情報層へユーザデータを記録するときと記録層へ視認情報を記録するときとでレーザ光源を使い分けることにより、それぞれの記録動作に適した記録条件で記録を行うことができる。例えば、情報層へユーザデータを記録するときに発生する球面収差および記録層へ視認情報を記録するときに発生する球面収差をそれぞれ最適に補正することにより、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。さらに、第１光源よりも出力パワーの強い第２光源を採用した場合には、視認情報の記録速度をさらに向上させることができる。
【図面の簡単な説明】
【００２０】
【図１Ａ】本発明の実施形態１による光ピックアップ装置を示す図である。
【図１Ｂ】本発明の実施形態１による光ディスク装置を示す図である。
【図２】（ａ）は本発明の実施形態１によるＤＶＤ型情報媒体を示す図であり、（ｂ）は本発明の実施形態１によるＣＤ型情報媒体を示す図である。
【図３】本発明の実施形態２による光ピックアップ装置を示す図である。
【図４】本発明の実施形態２による光ピックアップ装置の別の例を示す図である。
【図５】本発明の実施形態３による光ピックアップ装置を示す図である。
【図６】本発明の実施形態４による光ピックアップ装置を示す図である。
【図７】本発明の実施形態５による光ピックアップ装置を示す図である。
【図８】本発明の実施形態６による光ピックアップ装置を示す図である。
【図９】（ａ）は光ピックアップ装置が備える集光レンズと色素記録層とが対向するようにセットされた状態の光ディスク媒体を示す図であり、（ｂ）は集光レンズと感熱層とが対向するようにセットされた状態の情報媒体を示す図である。
【符号の説明】
【００２１】  １  情報媒体
２  情報層
３、４  透明基板
５  視認情報記録層
６  第１光源
７  第２光源
８  第１ビームスプリッタ
９  第２ビームスプリッタ
１０  コリメートレンズ
１１  ミラー
１２  集光レンズ
１３、１４  パワーモニタ用光検出器
１５  パワー制御回路
１６、３３、３４、３６、３７  光検出器
１７  処理回路
１８  光学素子
１８ａ、２８ａ  光学膜
３５、３８  光源ユニット
３９、７９  回折素子
３９ａ、７９ａ  開口膜
４０  第３光源
４１  第４光源
４２  第１コリメートレンズ
４３  第２コリメートレンズ
１００、２００、３００、４００、５００、６００  光ピックアップ装置
【発明を実施するための最良の形態】
【００２２】  以下、図面を参照しながら本発明の実施形態を説明する。【００２３】  （実施形態１）
まず、図１Ａを参照して、本発明による光ピックアップ装置の第１の実施形態を説明する。図１Ａは、本実施形態の光ピックアップ装置１００を示す図である。光ピックアップ装置１００は、データの光学的な記録および／または再生を行う光ディスク装置に搭載される。光ディスク装置については図１Ｂを参照して後述する。【００２４】  図１Ａを参照して、光ディスク装置にセットされる情報媒体１は、透明基板４と、所望のユーザデータを記録するためのユーザデータ領域（図示せず）を有する情報層２と、ユーザが直接視認可能な視認情報を記録するための記録層５とを備える。記録層５は、情報層２の背面側に設けられている。図１Ａに示す情報媒体１の左側半分は、光ピックアップ装置１００が備える集光レンズ１２と情報層２とが対向するようにセットされた状態の情報媒体１を示し、右側半分は、集光レンズ１２と記録層５とが対向するようにセットされた状態の情報媒体１を示している。【００２５】  情報媒体１がＤＶＤ型媒体である場合、図２（ａ）に示すように、例えば、情報層２は厚さ０．６ｍｍの透明基板３および４の貼合せ面の間に位置し、記録層５は、一方の透明基板３に設けられている。情報媒体１がＣＤ型媒体である場合は、図２（ｂ）に示すように、例えば、情報層２は厚さ１．２ｍｍの透明基板４に設けられ、記録層５は情報層２との間に中間層３ａを介して設けられている。なお、中間層３ａが省略されて情報層２に記録層５が直接積層されていてもよい。例えば、情報媒体１が再生専用ＣＤ型媒体であるときは、情報層２に記録層５が直接積層され得る。また、情報媒体１は、記録層５を保護するための保護層を備えていてもよい。【００２６】  このように、情報媒体１は情報層２および記録層５を積層して備えている。なお、積層とは、情報層２および記録層５が直接重なっている場合と、それらの間に別の層や基板等が存在する場合との両方を指す。【００２７】  情報層２には、例えば、画像データ、音声データ、テキストデータおよびプログラム等のディジタルデータが記録される。記録層５は感熱性材料を含んでいる。記録層５には、視認情報として、例えば、情報層２に記録されたユーザデータの種類、ユーザデータのタイトル、ユーザデータのイメージ、ユーザデータを取り扱うユーザの名前等の情報層２に記録されたデータを簡単に識別できる文字、記号および絵等が記録される。【００２８】  光ピックアップ装置１００は、レーザ光６ａを出力する第１光源６と、レーザ光７ａを出力する第２光源７と、レーザ光６ａおよび７ａを情報媒体１へ照射する光学系２０とを備える。光学系２０は、第１ビームスプリッタ８と、第２ビームスプリッタ９と、コリメートレンズ１０と、ミラー１１と、集光レンズ１２とを備える。レーザ光６ａおよび７ａは、共通の集光レンズ１２によって情報媒体１へ集光される。光ピックアップ装置１００は、パワーモニタ用光検出器１３および１４と、光検出器１６とをさらに備える。【００２９】  光ピックアップ装置１００の動作は、光ディスク装置が備えるパワー制御回路（ＰＣ回路）１５および処理回路１７によって制御される。第１光源６および第２光源７はレーザ発光素子であり、パワー制御回路１５からの出力信号に応じてレーザ光を出力する。第１光源６は、情報層２へユーザデータを記録するとき、および情報層２からユーザデータを再生するときに、レーザ光６ａを出力する。第２光源７は、記録層５へ視認情報を記録するときにレーザ光７ａを出力する。レーザ光６ａの発振中心波長とレーザ光７ａの発振中心波長とは同じである。レーザ光６ａおよび７ａの発振中心波長は、ＤＶＤ用であれば発振中心波長約６６０ｎｍ（そのときの集光レンズ１２のＮＡは約０．６３）、ＣＤ用であれば発振中心波長約７９０ｎｍ（そのときの集光レンズ１２のＮＡは約０．５０）となる。【００３０】  次に、光ピックアップ装置１００を搭載する光ディスク装置の一例を、図１Ｂを参照して説明する。図１Ｂは、本実施形態の光ディスク装置１０１を示す図である。【００３１】  光ディスク装置１０１は、光ピックアップ装置１００と、パワー制御回路１５と、処理回路１７とを備える。さらに、光ディスク装置１０１は、情報媒体１を回転駆動するモーター５１と、モーター５１の回転数等を制御するモーター制御回路５２と、光ディスク装置１０１の各構成要素を制御するシステム制御回路５３と、第１光源６および第２光源７を発光させるためのレーザ駆動電流を供給するレーザ駆動電源５４と、レーザ制御回路１９とを備える。図１Ａに示す例ではレーザ制御回路１９（図１Ａでは図示せず）はパワー制御回路１５に含まれているが、図１Ｂに示す例では、レーザ制御回路１９は光ピックアップ装置１００に搭載されている。また、パワー制御回路１５とは別に光ピックアップ装置１００外部に設けられていてもよい。レーザ制御回路１９の動作は後述する。【００３２】  情報媒体１が光ディスク装置１０１に装着されると、システム制御回路５３から指令を受けたモーター制御回路５２は、モーター５１に駆動電流を供給して所定の回転数に制御し、情報媒体１は回転駆動される。【００３３】  モーター５１の回転に同期してピックアップ移動機構（図示せず）は光ピックアップ装置１００を情報媒体１の内周側に移動させる。情報媒体１は内周側領域にＴＯＣ（Ｔａｂｌｅ  Ｏｆ  Ｃｏｎｔｅｎｔｓ）領域を備えている。光ピックアップ装置１００がＴＯＣ領域に到達したことをピックアップ移動機構の位置検出部が検出すると、システム制御回路５３から指令を受けた処理回路１７、パワー制御回路１５およびレーザ制御回路１９は光源６を発光させる。【００３４】  光源６から出射したレーザ光６ａは集光レンズ１２（図１Ａ）で集光されて情報媒体１に照射される。情報媒体１で反射された反射光は集光レンズ１２、ミラー１１、コリメートレンズ１０、第１および第２ビームスプリッタ８および９を経て光検出器１６に入射する。反射光は光検出器１６で電気信号に変換され、処理回路１７に反射光の強度に応じた再生信号が入力される。【００３５】  処理回路１７は、記録再生回路６３、記録信号生成回路６４および判別回路６５を備える。【００３６】  記録再生回路６３は、光ディスク装置の分野では公知の回路であり、光ピックアップ装置１００を用いて情報層２に記録されたユーザデータを再生する場合に光ピックアップ装置１００から得られる再生信号を復号してユーザデータを生成する。また、記録再生回路６３は、光ピックアップ装置１００を用いて所望のユーザデータを情報層２に記録マーク（ピットとも称される）として記録する場合には、ユーザデータを記録するための記録信号を生成する。【００３７】  記録信号生成回路６４は、光ピックアップ装置１００を用いて視認情報を記録層５に記録するための記録信号を生成する。記録信号生成回路６４は、光ディスク装置１０１やパーソナルコンピュータ等が備えるキーボード、スキャナー等の入力装置から入力された視認情報に応じた記録信号を生成する。【００３８】  判別回路６５は、レーザ光６ａの光スポットが情報層２と記録層５とのどちらに形成されているかを判別する。情報層２に光スポットが形成されている場合は記録再生回路６３からＴＯＣ情報が得られるので、判別回路６５は、このＴＯＣ情報の有無に応じて、情報層２と記録層５とのどちらが集光レンズ１２に対向しているかを判別する。判別回路６５は、ＴＯＣ情報を認識できると集光レンズ１２は情報層２と対向していると判別し、ＴＯＣ情報を認識できない場合には記録層５と対向していると判別する。【００３９】  なお、この例では情報媒体１がＴＯＣ領域を備えているので、ＴＯＣ情報の有無を検出することで、情報媒体１の向きを判別しているが、別の例として、情報媒体１がＤＶＤである場合には、リードイン領域に記録されている番地情報等の有無の検出、また、ユーザデータ領域等のトラックの有無の検出、トラッキングエラー信号の有無の検出等によって、情報媒体１の向きを判別してもよい。【００４０】  判別回路６５が情報層２と集光レンズ１２とが対向していると判別すると、パワー制御回路１５は、レーザ駆動電源５４から供給されるレーザ駆動電流を、情報層２に応じたパワーに制御し、レーザ制御回路１９にレーザ駆動電流を出力する。【００４１】  レーザ制御回路１９は、レーザ切換回路６１とレーザドライバ６２とを備える。レーザドライバ６２は、光ディスクの技術分野では公知の回路であり、受け取ったレーザ駆動電流を用いて第１光源６または第２光源７を発光させる。レーザ切換回路６１は、判別回路６５の判別結果に応じて、第１光源６と第２光源７とのどちらを動作させるか選択するスイッチング回路である。【００４２】  判別回路６５が情報層２と集光レンズ１２とが対向していると判別すると、レーザ切換回路６１は第１光源６を選択する。これにより、レーザ駆動電流が第１光源６に供給されて、情報層２へのユーザデータの記録または情報層２からのユーザデータの再生が実行される。判別回路６５が記録層５と集光レンズ１２とが対向していると判別すると、レーザ切換回路６１は第２光源７を選択する。これにより、レーザ駆動電流が第２光源７に供給されて、記録層５への視認情報の記録が実行される。【００４３】  次に、情報層２へユーザデータを記録するとき、および情報層２からユーザデータを再生するときの光ピックアップ装置１００の動作を説明する。情報媒体１は、集光レンズ１２と情報層２とが対向するように、光ディスク装置にセットされている。【００４４】  第１光源６が出力したレーザ光６ａは、第１ビームスプリッタ８の反射膜で反射された後、コリメートレンズ１０で略平行光にされる。コリメートレ��ズ１０を透過したレーザ光６ａは、ミラー１１で反射され、集光レンズ１２の光軸方向に沿って集光レンズ１２に入射する。略平行光の状態で入射したレーザ光６ａは集光レンズ１２によって集光されて情報層２へ照射される。照射されたレーザ光６ａは、情報層２に焦点が合わせられ、情報層２上に光スポットを形成する。第１光源６および光学系２０は、情報層２へレーザ光６ａを照射したときに発生する球面収差が最適に補正されるように位置決めされて配置されている。【００４５】  パワーモニタ用光検出器１３は、第１ビームスプリッタ８を透過した一部のレーザ光６ａを検出し、検出信号をパワー制御回路１５に出力する。パワー制御回路１５は、検出信号からレーザ光６ａのパワーをモニタして、適正な駆動電流を第１光源６に供給する。【００４６】  情報媒体１で反射された反射光は、集光レンズ１２、ミラー１１、コリメートレンズ１０を経て、第１および第２ビームスプリッタ８および９の反射膜を透過する。反射光は、光検出器１６に入射する。光検出器１６は、入射光から、フォーカスエラー信号、トラッキングエラー信号、情報層２に記録されているユーザデータを示すデータ信号等を生成する。処理回路１７は、光検出器１６が生成したそれらの信号を受け取り、それらの信号に基づいて光ピックアップ装置１００の動作を制御する。【００４７】  次に、記録層５へ視認情報を記録するときの光ピックアップ装置１００の動作を説明する。情報媒体１は、集光レンズ１２と記録層５とが対向するように、光ディスク装置にセットされている。【００４８】  第２光源７が出力したレーザ光７ａは、第２ビームスプリッタ９の反射膜で反射された後、発散光の状態でコリメートレンズ１０に入射する。レーザ光７ａは、コリメートレンズ１０で収束光にされ、ミラー１１で反射されて、集光レンズ１２の光軸方向に沿って集光レンズ１２に入射する。収束光の状態で入射したレーザ光７ａは集光レンズ１２によって集光されて記録層５へ照射され、記録層５上に光スポットを形成する。第２光源７および光学系２０は、記録層５へレーザ光７ａを照射したときに発生する球面収差が最適に補正されるように位置決めされて配置されている。【００４９】  パワーモニタ用光検出器１４は、第２ビームスプリッタ９を透過した一部のレーザ光７ａを検出し、検出信号をパワー制御回路１５に出力する。パワー制御回路１５は、検出信号からレーザ光７ａのパワーをモニタして、適正な駆動電流を第２光源７に供給する。【００５０】  情報層２にユーザデータを記録するとき、集光レンズ１２と情報層２と間には透明基板４が存在している。このため、情報層２にユーザデータを記録するときに集光レンズ１２と対向している光ディスク媒体１の表面から情報層２までの距離と、記録層５に視認情報を記録するときに集光レンズ１２と対向している光ディスク媒体１の表面から記録層５までの距離とは互いに異なっている。従って、同じ集光レンズ１２を用いて、情報層２および記録層５の両方に対して良好な集光状態を得るためには、球面収差の補正が必要となる。本実施形態では、光学系２０を有限光学系とし、有限光学系に適用される球面収差補正法を用いて、球面収差が最適に補正されるように��第１光源６、第２光源７および光学系２０を配置している。例えば、第１光源６とコリメートレンズ１０との間の光路距離を調整することにより、情報層２にユーザデータを記録するときに発生する球面収差を最適に補正することができる。また、第２光源７とコリメートレンズ１０との間の光路距離を調整することにより、記録層５に視認情報を記録するときに発生する球面収差を最適に補正することができる。【００５１】  なお、記録層５上の光スポットの位置を検出するために、例えば、記録層５には、光ディスク媒体１の半径方向に沿って伸びる基準線が予め形成されている。基準線の位置は、光検出器１６で反射光を受けることにより検出することができる。基準線の位置と、光ディスク媒体１の回転速度と、光ディスク媒体１の半径方向に沿った集光レンズ１２の位置とから、記録層５上の光スポットの位置を検出することができる。【００５２】  本実施形態では、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【００５３】  また、１つの光ピックアップ装置１００に第１光源６と第２光源７との両方を搭載し、第１光源６と第２光源７とで光学系２０を共用することで、光ピックアップ装置１００を搭載する光ディスク装置の小型化を実現することができる。【００５４】  なお、情報層２へユーザデータを記録するときと記録層５へ視認情報を記録するときとでレーザ光を使い分けるので、レーザ光６ａのパワーとレーザ光７ａのパワーとは、同一であってもよいし異なっていてもよい。同様に、レーザ光６ａと集光レンズ１２との関係から得られる開口数ＮＡと、レーザ光７ａと集光レンズ１２との関係から得られる開口数ＮＡとは、同一であってもよいし異なっていてもよい。【００５５】  記録層５は、レーザ光７ａの照射による発熱に応じて発色する感熱発色物質を含んでいる。記録層５に記録した文字や絵等の視認情報を視認し易くするためには、記録された文字や絵等のコントラストが高いことが望ましい。熱により感熱発色物質が黒色へ変化する場合には、変化前の記録層５の色は白色または白色に近い淡色であることが望ましい。情報層２は視認性を考慮しなくてもよいので、その材料としてレーザ光を吸収し易い有色物質が用いられるため光熱交換効率は高い。これに対して、上述のように記録層５の色が白色または淡色の場合は光熱変換効率が低くなってしまう。このため、視認情報の記録速度を向上させるためには、光スポットのエネルギー密度を高めることは重要である。【００５６】  また、第２光源７の定格出力パワーは、第１光源６の定格出力パワーよりも大きいことが望ましい。レーザ光７ａのパワーがレーザ光６ａのパワーよりも大きいことで、視認情報の記録速度をさらに向上させること��できる。【００５７】  （実施形態２）
図３を参照して、本発明による光ピックアップ装置の第２の実施形態を説明する。図３は、本実施形態の光ピックアップ装置２００を示す図である。【００５８】  光ピックアップ装置２００は、光ピックアップ装置１００（図１Ａ）の光学系２０の代わりに光学系２１を備える。光ピックアップ装置２００は、光源ユニット３５および３８を備える。【００５９】  光源ユニット３５は、第１光源６と、第１光源６に近接して設けられた光検出器３３および３４とを備える。光源ユニット３８は、第２光源７と、第２光源７に近接して設けられた光検出器３６および３７とを備える。本実施形態では、レーザ光６ａはＰ波（横波）であり、レーザ光７ａはＳ波（縦波）である。【００６０】  光学系２１は、光学系２０の第１および第２ビームスプリッタ８および９の代わりに、ビームスプリッタ２８を備える。ビームスプリッタ２８は、Ｐ波は反射してＳ波は透過する光学膜２８ａを備える。光学系２１は、光路上のミラー１１と集光レンズ１２との間に設けられた回折素子３９をさらに備える。【００６１】  第１光源６は、光学膜２８ａに対してＰ波を放射するように配置されている。第１光源６が出力したレーザ光６ａは、光学膜２８ａで反射されて偏向し、コリメートレンズ１０で略平行光にされる。コリメートレンズ１０を透過したレーザ光６ａは、ミラー１１で反射されて、集光レンズ１２の光軸方向に沿って集光レンズ１２に入射する。略平行光の状態で入射したレーザ光６ａは集光レンズ１２によって集光されて情報層２へ照射される。照射されたレーザ光６ａは、情報層２に焦点が合わせられ、情報層２上に光スポットを形成する。第１光源６および光学系２１は、情報層２へレーザ光６ａを照射したときに発生する球面収差が最適に補正されるように位置決めされて配置されている。【００６２】  パワーモニタ用光検出器１３は、コリメートレンズ１０を通過したレーザ光６ａの一部を検出し、検出信号をパワー制御回路１５に出力する。パワー制御回路１５は、検出信号からレーザ光６ａのパワーをモニタして、適正な駆動電流を第１光源６に供給する。【００６３】  情報媒体１で反射された光は、集光レンズ１２を通った後、回折素子３９によって回折される。回折光（図示せず）は、ミラー１１、コリメートレンズ１０を通った後、ビームスプリッタ２８で反射される。反射された回折光は、光検出器３３および３４に入射する。光検出器３３および３４は、受け取った回折光から、フォーカスエラー信号、トラッキングエラー信号、情報層２に記録されているユーザデータを示すデータ信号等を生成する。処理回路１７は、光検出器３３および３４が生成したそれらの信号を受け取り、それらの信号に基づいて光ピックアップ装置２００の動作を制御する。【００６４】  第２光源７は、光学膜２８ａに対してＳ波を放射するように配置されている。第２光源７が出力したレーザ光７ａは、光学膜２８ａを透過し、コリメートレンズ１０で収束光にされる。コリメートレンズ１０を透過したレーザ光７ａは、ミラー１１で反射され、集光レンズ１２の光軸方向に沿って集光レンズ１２に入射する。収束光の状態で入射したレーザ光７ａは集光レンズ１２によって集光されて記録層５へ照射され、記録���５上に光スポットを形成する。第２光源７および光学系２１は、記録層５へレーザ光７ａを照射したときに発生する球面収差が最適に補正されるように位置決めされて配置されている。【００６５】  パワーモニタ用光検出器１３は、コリメートレンズ１０を通過したレーザ光７ａの一部を検出し、検出信号をパワー制御回路１５に出力する。パワー制御回路１５は、検出信号からレーザ光７ａのパワーをモニタして、適正な駆動電流を第２光源７に供給する。【００６６】  上述したように光ディスク媒体１の情報層２側表面から情報層２までの距離と、光ディスク媒体の記録層５側表面から記録層５までの距離とは互いに異なっている。このため、同じ集光レンズ１２を用いて、情報層２および記録層５の両方に対して良好な集光状態を得るためには、球面収差の補正が必要となる。本実施形態でも、光学系２１を有限光学系とし、有限光学系に適用される球面収差補正法を用いて、球面収差が最適に補正されるように、第１光源６、第２光源７および光学系２１を配置している。【００６７】  本実施形態でも、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【００６８】  また、１つの光ピックアップ装置２００に第１光源６と第２光源７との両方を搭載し、第１光源６と第２光源７とで光学系２１を共用することで、光ピックアップ装置２００を搭載する光ディスク装置の小型化を実現することができる。【００６９】  なお、レーザ光６ａがＳ波であり、レーザ光７ａがＰ波であってもよく、この場合も、第１光源６、第２光源７および光学系２１は球面収差が最適に補正されるように配置される。【００７０】  また、図４に示すように、Ｐ波は反射してＳ波は透過する光学膜１８ａを備えるガラスや白板の平板光学素子１８を、ビームスプリッタ２８の代わりに用いてもよい。第１および第２ビームスプリッタ８および９の代わりに、ビームスプリッタ２８や平板光学素子１８を用いることにより、光ピックアップ装置の簡素化および低コスト化を実現することができる。【００７１】  （実施形態３）
図５（ａ）および図５（ｂ）を参照して、本発明による光ピックアップ装置の第３の実施形態を説明する。図５（ａ）は、本実施形態の光ピックアップ装置３００を示す図である。光ピックアップ装置３００は、ＤＶＤ型媒体の情報媒体１およびＣＤ型媒体の情報媒体１の両方に、ユーザデータおよび視認情報を記録することができる。図５（ａ）に示す情報媒体１の左側半分はＣＤ型媒体を示し、右側半分はＤＶＤ型媒体を示している。【００７２】  ＣＤ型媒体の情報層２の材料とＤＶＤ型媒体の情報層２の材料とは、同一系統であってもよいし異なる系統であってもよい。例えば、両方の層が有機染料を主成分として含む層であってもよいし、一方が有機染料を主成分として含む層であって、他方がカルコゲナイド系化合物を主成分として含む層であってもよい。【００７３】  光ピックアップ装置３００の光源ユニット３５は、第１光源６に隣接して設けられたレーザ光４０ａを出力する第３光源４０を備える。図５（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。【００７４】  第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。【００７５】  本実施形態では、レーザ光６ａおよび７ａは、ＤＶＤ型媒体の情報媒体１にユーザデータおよび視認情報を記録するときに用いられる。レーザ光４０ａおよび４１ａは、ＣＤ型媒体の情報媒体１にユーザデータおよび視認情報を記録するときに用いられる。レーザ光６ａおよび７ａの発振中心波長は約６６０ｎｍであり、レーザ光４０ａおよび４１ａの発振中心波長は約７９０ｎｍである。レーザ光６ａおよび７ａが出力したときの集光レンズ１２のＮＡが約０．６３となるように、また、レーザ光４０ａおよび４１ａが出力したときの集光レンズ１２のＮＡは約０．５０となるように、回折素子３９に開口膜３９ａが設けられている。【００７６】  第３光源４０および光学系２１は、情報層２へレーザ光４０ａを照射したときに発生する球面収差が最適に補正されるように配置されており、第４光源４１および光学系２１は、記録層５へレーザ光４１ａを照射したときに発生する球面収差が最適に補正されるように配置されている。これにより、ＤＶＤ型媒体およびＣＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【００７７】  また、１つの光ピックアップ装置３００に４つの光源６、７、４０および４１を搭載し、それらの光源で光学系２１を共用することで、光ピックアップ装置３００を搭載する光ディスク装置の小型化を実現することができる。【００７８】  また、情報媒体１がＢＤ型媒体である場合でもユーザデータおよび視認情報の記録が可能なように、発振中心波長約４０５ｎｍのレーザ光を出力する第５および第６の光源（図示せず）を、第１光源６および第２光源７に隣接して設けてもよい。【００７９】  （実施形態４）
図６を参照して、本発明による光ピックアップ装置の第４の実施形態を説明する。図６は、本実施形態の光ピックアップ装置４００を示す図である。【００８０】  光ピックアップ装置４００は、光ピックアップ装置２００（図３）の光学系２１の代わりに光学系２２を備える。光学系２２は、コリメートレンズ１０の代わりに、第１コリメートレンズ４２および第２コリメートレンズ４３を備える。【００８１】  第１コリメートレンズ４２は、情報層２へレーザ光６ａを照射したときに発生する球面収差を最適に補正するように、光路上の第１光源６と集光レンズ１２との間に配置されている。本実施形態では、第１コリメートレンズ４２は、第１光源６とビームスプリッタ２８との間に配置されている。第２コリメートレンズ４３は、記録層５へレーザ光７ａを照射したときに発生する球面収差を最適に補正するように、光路上の第２光源７と集光レンズ１２との間に配置されている。本実施形態では、第２コリメートレンズ４３は、第２光源７とビームスプリッタ２８との間に配置されている。レーザ光６ａのための第１コリメートレンズ４２と、レーザ光７ａのための第２コリメートレンズ４３とを独立に設けることにより、レーザ光６ａおよび７ａのそれぞれに対して発生する球面収差の補正のためのコリメートレンズの位置決めの自由度が上がり、球面収差補正をより高精度に行うことができる。【００８２】  また、上述したようなコリメートレンズを固定する構成は、コリメートレンズを移動させる構成と比較して、外乱に強いという利点がある。また、コリメートレンズを移動させる機構が不要であるので、光ピックアップ装置の構成をよりシンプルにすることができる。【００８３】  本実施形態でも、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【００８４】  また、１つの光ピックアップ装置４００に第１光源６と第２光源７との両方を搭載し、第１光源６と第２光源７とで光学系２２を共用することで、光ピックアップ装置４００を搭載する光ディスク装置の小型化を実現することができる。【００８５】  （実施形態５）
実施形態３の光ピックアップ装置３００（図５）は、ＤＶＤ型媒体の情報媒体１およびＣＤ型媒体の情報媒体１の両方に、ユーザデータおよび視認情報を記録する。このＣＤ型媒体は、例えばＢＤ（Ｂｌｕ−ｒａｙ  Ｄｉｓｃ）型媒体やＨＤ−ＤＶＤ（Ｈｉｇｈ  Ｄｅｆｉｎｉｔｉｏｎ  ＤＶＤ）型媒体であってもよい。ＢＤ型媒体およびＨＤ−ＤＶＤ型媒体には、発振中心波長約４０５ｎｍのレーザ光を用いてデータが記録される。【００８６】  図７（ａ）および図７（ｂ）を参照して、本発明による光ピックアップ装置の第５の実施形態を説明する。図７（ａ）は、本実施形態の光ピックアップ装置５００を示す図である。光ピックアップ装置５００は、ＤＶＤ型媒体の情報媒体１およびＨＤ−ＤＶＤ型媒体の情報媒体１の両方に、ユーザデータおよび視認情報を記録することができる。図７（ａ）に示す情報媒体１の左側半分はＨＤ−ＤＶＤ型媒体を示し、右側半分はＤＶＤ型媒体を示している。【００８７】  光ピックアップ装置５００の光源ユニット３５は、第１光源６に隣接して設けられたレーザ光４０ａを出力する第３光源４０を備える。図７（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。【００８８】  第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。【００８９】  本実施形態では、レーザ光６ａおよび７ａは、ＤＶＤ型媒体の情報媒体１にユーザデータおよび視認情報を記録するときに用いられ、また、レーザ光４０ａおよび４１ａは、ＨＤ−ＤＶＤ型媒体の情報媒体１にユーザデータおよび視認情報を記録するときに用いられる。本実施形態では、レーザ光６ａおよび７ａの発振中心波長は約６６０ｎｍであり、レーザ光４０ａおよび４１ａの発振中心波長は約４０５ｎｍである。レーザ光６ａおよび７ａが出力したときの集光レンズ１２のＮＡが約０．６３となるように、また、レーザ光４０ａおよび４１ａが出力したときの集光レンズ１２のＮＡは約０．８５となるように、回折素子３９に開口膜３９ａが設けられている。【００９０】  光ピックアップ装置５００は、コリメートレンズ１０を支持するＣＬ支持部材６１と、コリメートレンズ１０およびＣＬ支持部材６１をレーザ光軸方向２１ａに沿って移動させる駆動部６２とを備える。駆動部６２は、ステッピングモーターなどの送り装置であり、コリメートレンズ１０の位置を調整することができる。【００９１】  ここでＨＤ−ＤＶＤ型媒体の情報層の記録密度は約１５ＧＢであり、高密度の記録再生を行うために、光スポットの大きさは、ＤＶＤ型媒体に対して記録再生を行うための光スポットの大きさよりも小さい必要がある。このことから、正確な記録再生を行うためには、より高精度な球面収差��正が必要となる。このため、駆動部６２によって、光学系２１中のコリメートレンズ１０の位置をＣＬ支持部材６１とともに移動させ、最適な球面収差となるようなコリメートレンズ１０の位置決めを行う。最適な球面収差の位置とは、例えば、情報層２からの信号レベルが最大となる位置やジッターが最小となる位置である。情報層２の学習領域に対して記録または再生を行ったときに、駆動部６２によってコリメートレンズ１０の位置を移動させ、情報層２からの信号レベルが最大となる位置やジッターが最小となる位置を、最適な球面収差の位置として決定する。【００９２】  また、コリメートレンズ１０が移動すべき位置を予め決めておき、メモリ等に記憶しておいてもよい。選択された層に対して記録または再生を行う場合は、その層に対して予め決められたコリメートレンズ１０の位置までコリメートレンズ１０を移動させる。【００９３】  コリメートレンズ１０の位置を調整することにより、ＤＶＤ型媒体およびＨＤ−ＤＶＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【００９４】  また、１つの光ピックアップ装置５００に４つの光源６、７、４０および４１を搭載し、それらの光源で光学系２１を共用することで、光ピックアップ装置５００を搭載する光ディスク装置の小型化を実現することができる。【００９５】  （実施形態６）
次に、図８（ａ）および図８（ｂ）を参照して、ＤＶＤ型媒体の情報媒体１およびＢＤ型媒体の情報媒体１の両方に、ユーザデータおよび視認情報を記録する光ピックアップ装置を説明する。図８（ａ）は、本実施形態の光ピックアップ装置６００を示す図である。光ピックアップ装置６００は、ＤＶＤ型媒体の情報媒体１およびＢＤ型媒体の情報媒体１の両方に、ユーザデータおよび視認情報を記録することができる。図８（ａ）に示す左側の情報媒体１はＤＶＤ型媒体を示し、右側の情報媒体１はＢＤ型媒体を示している。【００９６】  光ピックアップ装置６００の光源ユニット３５は、第１光源６に隣接して設けられたレーザ光４０ａを出力する第３光源４０を備える。図８（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。【００９７】  第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。【００９８】  本実施形態では、レーザ光６ａおよび７ａは、ＤＶＤ型媒体の情報媒体１にユーザデータおよび視認情報を記録するときに用いられる。レーザ光４０ａおよび４１ａは、ＢＤ型媒体の情報媒体１にユーザデータおよび視認情報を記録するときに用いられる。レーザ光６ａおよび７ａの発振中心波長は約６６０ｎｍであり、レーザ光４０ａおよび４１ａの発振中心波長は約４０５ｎｍである。【００９９】  本実施形態の光学系２１は、発振中心波長約４０５ｎｍのレーザ光を反射する第２のミラー７１と、そのレーザ光を集光する第２の集光レンズ７２と、光路上のミラー７１と第２の集光レンズ７２との間に設けられた回折素子７９とを備える。【０１００】  本実施形態のミラー１１には蒸着膜１１ａが形成されており、ミラー１１は、発振中心波長約６６０ｎｍのレーザ光を反射し、発振中心波長約４０５ｎｍのレーザ光を透過する。レーザ光６ａおよび７ａが出力されたときの集光レンズ１２のＮＡが約０．６３となるように、回折素子３９に開口膜３９ａが設けられている。また、レーザ光４０ａおよび４１ａが出力されたときの第２の集光レンズ７２のＮＡが約０．８５となるように、回折素子７９に開口膜７９ａが設けられている。【０１０１】  光ピックアップ装置６００は、ＣＬ支持部材６１と、駆動部６２とを備えている。【０１０２】  ここでＢＤ型媒体の情報層の記録密度は約２５ＧＢであり、高密度の記録再生を行うために、光スポットの大きさは、ＤＶＤ型媒体に対して記録再生を行うための光スポットの大きさよりも小さい必要がある。このことから、正確な記録再生を行うためには、より高精度な球面収差補正が必要となる。このため、駆動部６２によって、光学系２１中のコリメートレンズ１０の位置をＣＬ支持部材６１とともに移動させ、最適な球面収差となるようなコリメートレンズ１０の位置決めを行う。最適な球面収差の位置とは、例えば、情報層２からの信号レベルが最大となる位置やジッターが最小となる位置である。情報層２の学習領域に対して記録または再生を行ったときに、駆動部６２によってコリメートレンズ１０の位置を移動させ、情報層２からの信号レベルが最大となる位置やジッターが最小となる位置を、最適な球面収差の位置として決定する。【０１０３】  また、コリメートレンズ１０が移動すべき位置を予め決めておき、メモリ等に記憶しておいてもよい。選択された層に対して記録または再生を行う場合は、その層に対して予め決められたコリメートレンズ１０の位置までコリメートレンズ１０を移動させる。【０１０４】  コリメートレンズ１０の位置を調整することにより、ＤＶＤ型媒体およびＢＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。【０１０５】  また、１つの光ピックアップ装置６００に４つの光源６、７、４０および４１を搭載し、それらの光源で光学系２１を共用することで、光ピックアップ装置６００を搭載する光ディスク装置の小型化を実現することができる。【０１０６】  なお、光ピックアップ装置５００および６００の光源ユニット３５および３８がＣＤ型媒体用の光源をさらに備え、ＣＤ型媒体にもユーザデータおよび視認情報を記録してもよい。上述した光ピックアップ装置１００〜６００の各構成要素は、光ピックアップ装置の使用目的に応じて様々に組み合わせられる。【０１０７】  以上、本発明の好適な実施形態を説明することにより本発明を例示してきたが、本発明はこれらの実施形態に限定して解釈されるべきものではない。本発明は、特許請求の範囲によってのみその範囲が解釈されるべきであることが理解される。
【産業上の利用可能性】
【０１０８】  本発明の光ピックアップ装置は、ユーザが直接視認可能な視認情報を情報媒体に記録する技術分野において特に好適に用いられる。
【図１Ａ】
2007069426.tif 000003
【図１Ｂ】
2007069426.tif 000004
【図２】
2007069426.tif 000005
【図３】
2007069426.tif 000006
【図４】
2007069426.tif 000007
【図５】
2007069426.tif 000008
【図６】
2007069426.tif 000009
【図７】
2007069426.tif 000010
【図８】
2007069426.tif 000011
【図９】
2007069426.tif 000012
【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
第１レーザ光を出力する第１光源と、
第２レーザ光を出力する第２光源と、
前記第１および第２レーザ光を情報媒体へ照射する光学系と
を備えた光ピックアップ装置であって、
前記情報媒体は、
ユーザデータを記録または再生するためのユーザデータ領域を有する情報層と、
ユーザが直接視認可能な視認情報を記録するための記録層と
を備え、
前記情報層に対して前記ユーザデータの記録または再生を行う場合には前記第１レーザ光を出力し、前記記録層に対して前記視認情報の記録を行う場合には前記第２レーザ光を出力する、光ピックアップ装置。
【請求項２】
前記第１光源および前記光学系は、前記情報層へ前記第１レーザ光を照射したときに発生する球面収差が補正されるように配置されており、
前記第２光源および前記光学系は、前記記録層へ前記第２レーザ光を照射したときに発生する球面収差が補正されるように配置されている、請求項１に記載の光ピックアップ装置。
【請求項３】
前記光学系は、前記第１および第２レーザ光を前記情報媒体へ集光させるための集光レンズを備え、
前記第１レーザ光は、略平行光の状態で前記集光レンズへ入射し、
前記第２レーザ光は、収束光の状態で前記集光レンズへ入射する、請求項１または２に記載の光ピックアップ装置。
【請求項４】
前記光学系は、Ｐ波およびＳ波の一方を反射し、他方を透過させる光学素子を備え、
前記第１および第２レーザ光の一方はＰ波であり、他方はＳ波であり、
前記第１および第２光源および前記光学素子は、前記第１および第２レーザ光の一方が光学素子を透過し、他方が前記光学素子で反射するように配置されている、請求項１から３のいずれかに記載の光ピックアップ装置。
【請求項５】
前記光学系は、
前記第１および第２レーザ光を前記情報媒体へ集光させるための集光レンズと、
前記第１光源と前記集光レンズとの間に配置され、前記情報層へ前記第１レーザ光を照射したときに発生する球面収差を補正する第１コリメートレンズと、
前記第２光源と前記集光レンズとの間に配置され、前記記録層へ前記第２レーザ光を照射したときに発生する球面収差を補正する第２コリメートレンズと
を備える、請求項１から４のいずれかに記載の光ピックアップ装置。
【請求項６】
前記光学系はコリメートレンズを備え、
前記光ピックアップ装置は、
前記コリメートレンズを支持する支持部と、
前記コリメートレンズと前記支持部とを光軸方向に移動させる駆動部と
をさらに備える、請求項１から４のいずれかに記載の光ピックアップ装置。
【請求項７】
前記第１レーザ光の発振中心波長と前記第２レーザ光の発振中心波長とは同じである、請求項１から６のいずれかに記載の光ピックアップ装置。
【請求項８】
前記第２レーザ光のパワーは前記第１レーザ光のパワーよりも大きい、請求項１から７のいずれかに記載の光ピックアップ装置。
【請求項９】
第３レーザ光を出力する第３光源と、第４レーザ光を出力する第４光源とのうちの少なくとも一方をさらに備え、
前記第３および第４レーザ光の発振中心波長は、前記第１および第２レーザ光の発振中心波長と異なる、請求項１から８のいずれかに記載の光ピックアップ装置。
【請求項１０】
請求項１から９のいずれかに記載の光ピックアップ装置と、
前記情報媒体を回転させるモーターと、
前記光ピックアップ装置を用いて前記情報層に前記ユーザデータを記録する場合には前記ユーザデータを記録するための信号を生成するとともに、前記光ピックアップ装置を用いて前記情報層に記録された前記ユーザデータを再生する場合には、前記光ピックアップ装置から得られる再生信号に基づいて前記ユーザデータを生成する記録再生部と、
前記光ピックアップ装置を用いて前記視認情報を前記記録層に記録するための信号を生成する記録信号生成部と、
前記光ピックアップ装置から出力された前記第１または第２レーザ光の光スポットが前記情報層と前記記録層とのどちらに形成されているかを判別する判別部と、
前記判別部の判別結果に基づいて前記第１光源と前記第２光源とのどちらを動作させるか選択する切換部と
を備えた、光ディスク装置。
【手続補正２】
【補正対象書類名】明細書
【補正対象項目名】全文
【補正方法】変更
【補正の内容】
【発明の詳細な説明】
【技術分野】
【０００１】
本発明は、データの光学的な記録および／または再生を行うための光ピックアップ装置に関し、特に、ユーザが直接視認可能な視認情報の記録が可能な光ピックアップ装置に関する。
【背景技術】
【０００２】
光ディスク媒体にディジタルデータを記録する技術の普及は、ＣＤ−Ｒの普及に始まり、その後、ＣＤ−Ｒよりも記録容量が大きいＤＶＤ−Ｒ、ＤＶＤ−ＲＷ、ＤＶＤ−ＲＡＭ等も普及している。ＣＤ−Ｒは、厚さ１．２ｍｍの透明基板と、この透明基板に支持された記録層とを備えている。ＤＶＤは、厚さ０．６ｍｍの一対の透明基板と、これらの透明基板に挟まれた記録層とを備えている。これらの記録層は、画像データ、音声データ、テキストデータおよびプログラム等のディジタルデータを記録するための層であり、色素または相変化材料を含んでいる。
【０００３】
上述したような光ディスク媒体の普及に伴い、光ディスク媒体に記録されたデータの種類を簡単に識別するためのインデックス情報等を、ユーザが直接視認可能な視認情報として光ディスク媒体に記録することが求められている。このような要望に伴い、光ディスク媒体のラベル面に文字や絵を印刷することにより視認情報を記録するプリンタが販売されている。しかし、そのようなプリンタは光ディスク装置とは別に用意する必要があるため、ユーザにコスト的な負担をかけている。また、一般に、プリンタはパーソナルコンピュータの周辺機器として販売されているため、例えばＤＶＤレコーダで記録したＤＶＤにラベル印刷をするためには、パーソナルコンピュータを起動してＤＶＤをプリンタにセットする必要があり、手間および時間が掛かっていた。
【０００４】
特許文献１は、ラベル記録のための感熱層を備えた光ディスク媒体と、その感熱層に視認情報を直接記録する光ディスク装置とを開示している。その光ディスク媒体は、保護基板、色素記録層、反射層、保護層、感熱層、保護層をこの順で備えている。この光ディスク装置によれば、視認情報を感熱層に記録するときは、感熱層が光ピックアップ装置と対向するように光ディスク媒体を光ディスク装置に挿入する。そして、光ディスク装置は、レーザ光を感熱層に照射することによって視認情報を感熱層に記録する。なお、搭載された光ディスク媒体の色素記録層と感熱層とのどちらが光ピックアップ装置と対向しているかの判定は、光ディスク媒体にアクセスしたときにＡＴＩＰ（Ａｂｓｏｌｕｔｅ  Ｔｉｍｅ  Ｉｎ  Ｐｒｅｇｒｏｏｖｅ）情報が検出されるか否かを判定することで行うことができる。ＡＴＩＰ情報が検出されない場合は、光ディスク装置は、光ピックアップ装置が感熱層と対向していると判定する。
【特許文献１】特開２００３−２０３３４８号公報
【発明の開示】
【発明が解決しようとする課題】
【０００５】
図９（ａ）は、光ピックアップ装置が備える集光レンズ７２０と色素記録層７１２とが対向するようにセットされた状態の光ディスク媒体７１０を示し、図９（ｂ）は、集光レンズ７２０と感熱層７１３とが対向するようにセットされた状態の情報媒体７１０を示している。
【０００６】
図９（ａ）を参照して、対物レンズ７２０で集光されたレーザ光７３０は、保護基板７１１を透過して色素記録層７１２上に焦点を結ぶ。レーザ光７３０は保護基板７１１を通るときに屈折する。色素記録層７１２にレーザ光７３０の焦点を合わせるために、光ピックアップ装置の光学系は、そのような屈折等を考慮して球面収差が最小となるように設計されている。
【０００７】
図９（ａ）および図９（ｂ）を参照して、保護基板７１１の表面７１１ａから色素記録層７１２までの距離と、保護層７１４の表面７１４ａから感熱層７１３までの距離とは互いに異なっている。このため、色素記録層７１２にレーザ光７３０の焦点が合うように設計された光ピックアップ装置では、球面収差の影響により感熱層７１３にはレーザ光の焦点が合わずに、光スポットがぼやけてしまう。ぼやけた光スポットを感熱層７１３上に形成すると、単位面積当たりのエネルギー密度が低下し、感熱層７１３の温度が上昇しにくいという問題がある。温度を上昇させるためにレーザ光７３０のパワーを上げるとレーザ光７３０が安定しなくなるとともにレーザ発光素子の寿命が短くなるという問題がある。レーザ光７３０のパワーを上げない場合には、感熱層７１３の発色濃度を高めるために、１発色点当たりの照射時間を長くする必要がある。１発色点当たりの照射時間を長くするためには、光ディスク媒体７１０の線速度を低下させるか、あるいは発色点に繰り返しレーザ光７３０を照射すればよいが、視認情報の記録に長い時間を要するという問題がある。
【０００８】
本発明は、上記課題に鑑みてなされたものであり、その目的は、視認情報を高速に記録できる光ピックアップ装置を提供することにある。
【課題を解決するための手段】
【０００９】
本発明の光ピックアップ装置は、第１レーザ光を出力する第１光源と、第２レーザ光を出力する第２光源と、前記第１および第２レーザ光を情報媒体へ照射する光学系とを備えた光ピックアップ装置であって、前記情報媒体は、ユーザデータを記録または再生するためのユーザデータ領域を有する情報層と、ユーザが直接視認可能な視認情報を記録するための記録層とを備え、前記情報層に対して前記ユーザデータの記録または再生を行う場合には前記第１レーザ光を出力し、前記記録層に対して前記視認情報の記録を行う場合には前記第２レーザ光を出力することを特徴とする。
【００１０】
ある実施形態によれば、前記第１光源および前記光学系は、前記情報層へ前記第１レーザ光を照射したときに発生する球面収差が補正されるように配置されており、前記第２光源および前記光学系は、前記記録層へ前記第２レーザ光を照射したときに発生する球面収差が補正されるように配置されている。
【００１１】
ある実施形態によれば、前記光学系は、前記第１および第２レーザ光を前記情報媒体へ集光させるための集光レンズを備え、前記第１レーザ光は、略平行光の状態で前記集光レンズへ入射し、前記第２レーザ光は、収束光の状態で前記集光レンズへ入射する。
【００１２】
ある実施形態によれば、前記光学系は、Ｐ波およびＳ波の一方を反射し、他方を透過させる光学素子を備え、前記第１および第２レーザ光の一方はＰ波であり、他方はＳ波であり、前記第１および第２光源および前記光学素子は、前記第１および第２レーザ光の一方が光学素子を透過し、他方が前記光学素子で反射するように配置されている。
【００１３】
ある実施形態によれば、前記光学系は、前記第１および第２レーザ光を前記情報媒体へ集光させるための集光レンズと、前記第１光源と前記集光レンズとの間に配置され、前記情報層へ前記第１レーザ光を照射したときに発生する球面収差を補正する第１コリメートレンズと、前記第２光源と前記集光レンズとの間に配置され、前記記録層へ前記第２レーザ光を照射したときに発生する球面収差を補正する第２コリメートレンズとを備える。
【００１４】
ある実施形態によれば、前記光学系はコリメートレンズを備え、前記光ピックアップ装置は、前記コリメートレンズを支持する支持部と、前記コリメートレンズと前記支持部とを光軸方向に移動させる駆動部とをさらに備える。
【００１５】
ある実施形態によれば、前記第１レーザ光の発振中心波長と前記第２レーザ光の発振中心波長とは同じである。
【００１６】
ある実施形態によれば、前記第２レーザ光のパワーは前記第１レーザ光のパワーよりも大きい。
【００１７】
ある実施形態によれば、第３レーザ光を出力する第３光源と、第４レーザ光を出力する第４光源とのうちの少なくとも一方をさらに備え、前記第３および第４レーザ光の発振中心波長は、前記第１および第２レーザ光の発振中心波長と異なる。
【００１８】
本発明の光ディスク装置は、前記光ピックアップ装置と、前記情報媒体を回転させるモーターと、前記光ピックアップ装置を用いて前記情報層に前記ユーザデータを記録する場合には前記ユーザデータを記録するための信号を生成するとともに、前記光ピックアップ装置を用いて前記情報層に記録された前記ユーザデータを再生する場合には、前記光ピックアップ装置から得られる再生信号に基づいて前記ユーザデータを生成する記録再生部と、前記光ピックアップ装置を用いて前記視認情報を前記記録層に記録するための信号を生成する記録信号生成部と、前記光ピックアップ装置から出力された前記第１または第２レーザ光の光スポットが前記情報層と前記記録層とのどちらに形成されているかを判別する判別部と、前記判別部の判別結果に基づいて前記第１光源と前記第２光源とのどちらを動作させるか選択する切換部とを備えることを特徴とする。
【発明の効果】
【００１９】
本発明によれば、情報媒体は、ユーザデータを記録するための情報層と、ユーザが直接視認可能な視認情報を記録するための記録層とを備え、情報層へユーザデータを記録するときには第１光源から第１レーザ光を出力し、記録層へ視認情報を記録するときには第２光源から第２レーザ光を出力する。情報層へユーザデータを記録するときと記録層へ視認情報を記録するときとでレーザ光源を使い分けることにより、それぞれの記録動作に適した記録条件で記録を行うことができる。例えば、情報層へユーザデータを記録するときに発生する球面収差および記録層へ視認情報を記録するときに発生する球面収差をそれぞれ最適に補正することにより、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。さらに、第１光源よりも出力パワーの強い第２光源を採用した場合には、視認情報の記録速度をさらに向上させることができる。
【発明を実施するための最良の形態】
【００２０】
以下、図面を参照しながら本発明の実施形態を説明する。
【００２１】
（実施形態１）
まず、図１Ａを参照して、本発明による光ピックアップ装置の第１の実施形態を説明する。図１Ａは、本実施形態の光ピックアップ装置１００を示す図である。光ピックアップ装置１００は、データの光学的な記録および／または再生を行う光ディスク装置に搭載される。光ディスク装置については図１Ｂを参照して後述する。
【００２２】
図１Ａを参照して、光ディスク装置にセットされる情報媒体１は、透明基板４と、所望のユーザデータを記録するためのユーザデータ領域（図示せず）を有する情報層２と、ユーザが直接視認可能な視認情報を記録するための記録層５とを備える。記録層５は、情報層２の背面側に設けられている。図１Ａに示す情報媒体１の左側半分は、光ピックアップ装置１００が備える集光レンズ１２と情報層２とが対向するようにセットされた状態の情報媒体１を示し、右側半分は、集光レンズ１２と記録層５とが対向するようにセットされた状態の情報媒体１を示している。
【００２３】
情報媒体１がＤＶＤ型媒体である場合、図２（ａ）に示すように、例えば、情報層２は厚さ０．６ｍｍの透明基板３および４の貼合せ面の間に位置し、記録層５は、一方の透明基板３に設けられている。情報媒体１がＣＤ型媒体である場合は、図２（ｂ）に示すように、例えば、情報層２は厚さ１．２ｍｍの透明基板４に設けられ、記録層５は情報層２との間に中間層３ａを介して設けられている。なお、中間層３ａが省略されて情報層２に記録層５が直接積層されていてもよい。例えば、情報媒体１が再生専用ＣＤ型媒体であるときは、情報層２に記録層５が直接積層され得る。また、情報媒体１は、記録層５を保護するための保護層を備えていてもよい。
【００２４】
このように、情報媒体１は情報層２および記録層５を積層して備えている。なお、積層とは、情報層２および記録層５が直接重なっている場合と、それらの間に別の層や基板等が存在する場合との両方を指す。
【００２５】
情報層２には、例えば、画像データ、音声データ、テキストデータおよびプログラム等のディジタルデータが記録される。記録層５は感熱性材料を含んでいる。記録層５には、視認情報として、例えば、情報層２に記録されたユーザデータの種類、ユーザデータのタイトル、ユーザデータのイメージ、ユーザデータを取り扱うユーザの名前等の情報層２に記録されたデータを簡単に識別できる文字、記号および絵等が記録される。
【００２６】
光ピックアップ装置１００は、レーザ光６ａを出力する第１光源６と、レーザ光７ａを出力する第２光源７と、レーザ光６ａおよび７ａを情報媒体１へ照射する光学系２０とを備える。光学系２０は、第１ビームスプリッタ８と、第２ビームスプリッタ９と、コリメートレンズ１０と、ミラー１１と、集光レンズ１２とを備える。レーザ光６ａおよび７ａは、共通の集光レンズ１２によって情報媒体１へ集光される。光ピックアップ装置１００は、パワーモニタ用光検出器１３および１４と、光検出器１６とをさらに備える。
【００２７】
光ピックアップ装置１００の動作は、光ディスク装置が備えるパワー制御回路（ＰＣ回路）１５および処理回路１７によって制御される。第１光源６および第２光源７はレーザ発光素子であり、パワー制御回路１５からの出力信号に応じてレーザ光を出力する。第１光源６は、情報層２へユーザデータを記録するとき、および情報層２からユーザデータを再生するときに、レーザ光６ａを出力する。第２光源７は、記録層５へ視認情報を記録するときにレーザ光７ａを出力する。レーザ光６ａの発振中心波長とレーザ光７ａの発振中心波長とは同じである。レーザ光６ａおよび７ａの発振中心波長は、ＤＶＤ用であれば発振中心波長約６６０ｎｍ（そのときの集光レンズ１２のＮＡは約０．６３）、ＣＤ用であれば発振中心波長約７９０ｎｍ（そのときの集光レンズ１２のＮＡは約０．５０）となる。
【００２８】
次に、光ピックアップ装置１００を搭載する光ディスク装置の一例を、図１Ｂを参照して説明する。図１Ｂは、本実施形態の光ディスク装置１０１を示す図である。
【００２９】
光ディスク装置１０１は、光ピックアップ装置１００と、パワー制御回路１５と、処理回路１７とを備える。さらに、光ディスク装置１０１は、情報媒体１を回転駆動するモーター５１と、モーター５１の回転数等を制御するモーター制御回路５２と、光ディスク装置１０１の各構成要素を制御するシステム制御回路５３と、第１光源６および第２光源７を発光させるためのレーザ駆動電流を供給するレーザ駆動電源５４と、レーザ制御回路１９とを備える。図１Ａに示す例ではレーザ制御回路１９（図１Ａでは図示せず）はパワー制御回路１５に含まれているが、図１Ｂに示す例では、レーザ制御回路１９は光ピックアップ装置１００に搭載されている。また、パワー制御回路１５とは別に光ピックアップ装置１００外部に設けられていてもよい。レーザ制御回路１９の動作は後述する。
【００３０】
情報媒体１が光ディスク装置１０１に装着されると、システム制御回路５３から指令を受けたモーター制御回路５２は、モーター５１に駆動電流を供給して所定の回転数に制御し、情報媒体１は回転駆動される。
【００３１】
モーター５１の回転に同期してピックアップ移動機構（図示せず）は光ピックアップ装置１００を情報媒体１の内周側に移動させる。情報媒体１は内周側領域にＴＯＣ（Ｔａｂｌｅ  Ｏｆ  Ｃｏｎｔｅｎｔｓ）領域を備えている。光ピックアップ装置１００がＴＯＣ領域に到達したことをピックアップ移動機構の位置検出部が検出すると、システム制御回路５３から指令を受けた処理回路１７、パワー制御回路１５およびレーザ制御回路１９は光源６を発光させる。
【００３２】
光源６から出射したレーザ光６ａは集光レンズ１２（図１Ａ）で集光されて情報媒体１に照射される。情報媒体１で反射された反射光は集光レンズ１２、ミラー１１、コリメートレンズ１０、第１および第２ビームスプリッタ８および９を経て光検出器１６に入射する。反射光は光検出器１６で電気信号に変換され、処理回路１７に反射光の強度に応じた再生信号が入力される。
【００３３】
処理回路１７は、記録再生回路６３、記録信号生成回路６４および判別回路６５を備える。
【００３４】
記録再生回路６３は、光ディスク装置の分野では公知の回路であり、光ピックアップ装置１００を用いて情報層２に記録されたユーザデータを再生する場合に光ピックアップ装置１００から得られる再生信号を復号してユーザデータを生成する。また、記録再生回路６３は、光ピックアップ装置１００を用いて所望のユーザデータを情報層２に記録マーク（ピットとも称される）として記録する場合には、ユーザデータを記録するための記録信号を生成する。
【００３５】
記録信号生成回路６４は、光ピックアップ装置１００を用いて視認情報を記録層５に記録するための記録信号を生成する。記録信号生成回路６４は、光ディスク装置１０１やパーソナルコンピュータ等が備えるキーボード、スキャナー等の入力装置から入力された視認情報に応じた記録信号を生成する。
【００３６】
判別回路６５は、レーザ光６ａの光スポットが情報層２と記録層５とのどちらに形成されているかを判別する。情報層２に光スポットが形成されている場合は記録再生回路６３からＴＯＣ情報が得られるので、判別回路６５は、このＴＯＣ情報の有無に応じて、情報層２と記録層５とのどちらが集光レンズ１２に対向しているかを判別する。判別回路６５は、ＴＯＣ情報を認識できると集光レンズ１２は情報層２と対向していると判別し、ＴＯＣ情報を認識できない場合には記録層５と対向していると判別する。
【００３７】
なお、この例では情報媒体１がＴＯＣ領域を備えているので、ＴＯＣ情報の有無を検出することで、情報媒体１の向きを判別しているが、別の例として、情報媒体１がＤＶＤである場合には、リードイン領域に記録されている番地情報等の有無の検出、また、ユーザデータ領域等のトラックの有無の検出、トラッキングエラー信号の有無の検出等によって、情報媒体１の向きを判別してもよい。
【００３８】
判別回路６５が情報層２と集光レンズ１２とが対向していると判別すると、パワー制御回路１５は、レーザ駆動電源５４から供給されるレーザ駆動電流を、情報層２に応じたパワーに制御し、レーザ制御回路１９にレーザ駆動電流を出力する。
【００３９】
レーザ制御回路１９は、レーザ切換回路６１とレーザドライバ６２とを備える。レーザドライバ６２は、光ディスクの技術分野では公知の回路であり、受け取ったレーザ駆動電流を用いて第１光源６または第２光源７を発光させる。レーザ切換回路６１は、判別回路６５の判別結果に応じて、第１光源６と第２光源７とのどちらを動作させるか選択するスイッチング回路である。
【００４０】
判別回路６５が情報層２と集光レンズ１２とが対向していると判別すると、レーザ切換回路６１は第１光源６を選択する。これにより、レーザ駆動電流が第１光源６に供給されて、情報層２へのユーザデータの記録または情報層２からのユーザデータの再生が実行される。判別回路６５が記録層５と集光レンズ１２とが対向していると判別すると、レーザ切換回路６１は第２光源７を選択する。これにより、レーザ駆動電流が第２光源７に供給されて、記録層５への視認情報の記録が実行される。
【００４１】
次に、情報層２へユーザデータを記録するとき、および情報層２からユーザデータを再生するときの光ピックアップ装置１００の動作を説明する。情報媒体１は、集光レンズ１２と情報層２とが対向するように、光ディスク装置にセットされている。
【００４２】
第１光源６が出力したレーザ光６ａは、第１ビームスプリッタ８の反射膜で反射された後、コリメートレンズ１０で略平行光にされる。コリメートレンズ１０を透過したレーザ光６ａは、ミラー１１で反射され、集光レンズ１２の光軸方向に沿って集光レンズ１２に入射する。略平行光の状態で入射したレーザ光６ａは集光レンズ１２によって集光されて情報層２へ照射される。照射されたレーザ光６ａは、情報層２に焦点が合わせられ、情報層２上に光スポットを形成する。第１光源６および光学系２０は、情報層２へレーザ光６ａを照射したときに発生する球面収差が最適に補正されるように位置決めされて配置されている。
【００４３】
パワーモニタ用光検出器１３は、第１ビームスプリッタ８を透過した一部のレーザ光６ａを検出し、検出信号をパワー制御回路１５に出力する。パワー制御回路１５は、検出信号からレーザ光６ａのパワーをモニタして、適正な駆動電流を第１光源６に供給する。
【００４４】
情報媒体１で反射された反射光は、集光レンズ１２、ミラー１１、コリメートレンズ１０を経て、第１および第２ビームスプリッタ８および９の反射膜を透過する。反射光は、光検出器１６に入射する。光検出器１６は、入射光から、フォーカスエラー信号、トラッキングエラー信号、情報層２に記録されているユーザデータを示すデータ信号等を生成する。処理回路１７は、光検出器１６が生成したそれらの信号を受け取り、それらの信号に基づいて光ピックアップ装置１００の動作を制御する。
【００４５】
次に、記録層５へ視認情報を記録するときの光ピックアップ装置１００の動作を説明する。情報媒体１は、集光レンズ１２と記録層５とが対向するように、光ディスク装置にセットされている。
【００４６】
第２光源７が出力したレーザ光７ａは、第２ビームスプリッタ９の反射膜で反射された後、発散光の状態でコリメートレンズ１０に入射する。レーザ光７ａは、コリメートレンズ１０で収束光にされ、ミラー１１で反射されて、集光レンズ１２の光軸方向に沿って集光レンズ１２に入射する。収束光の状態で入射したレーザ光７ａは集光レンズ１２によって集光されて記録層５へ照射され、記録層５上に光スポットを形成する。第２光源７および光学系２０は、記録層５へレーザ光７ａを照射したときに発生する球面収差が最適に補正されるように位置決めされて配置されている。
【００４７】
パワーモニタ用光検出器１４は、第２ビームスプリッタ９を透過した一部のレーザ光７ａを検出し、検出信号をパワー制御回路１５に出力する。パワー制御回路１５は、検出信号からレーザ光７ａのパワーをモニタして、適正な駆動電流を第２光源７に供給する。
【００４８】
情報層２にユーザデータを記録するとき、集光レンズ１２と情報層２と間には透明基板４が存在している。このため、情報層２にユーザデータを記録するときに集光レンズ１２と対向している光ディスク媒体１の表面から情報層２までの距離と、記録層５に視認情報を記録するときに集光レンズ１２と対向している光ディスク媒体１の表面から記録層５までの距離とは互いに異なっている。従って、同じ集光レンズ１２を用いて、情報層２および記録層５の両方に対して良好な集光状態を得るためには、球面収差の補正が必要となる。本実施形態では、光学系２０を有限光学系とし、有限光学系に適用される球面収差補正法を用いて、球面収差が最適に補正されるように、第１光源６、第２光源７および光学系２０を配置している。例えば、第１光源６とコリメートレンズ１０との間の光路距離を調整することにより、情報層２にユーザデータを記録するときに発生する球面収差を最適に補正することができる。また、第２光源７とコリメートレンズ１０との間の光路距離を調整することにより、記録層５に視認情報を記録するときに発生する球面収差を最適に補正することができる。
【００４９】
なお、記録層５上の光スポットの位置を検出するために、例えば、記録層５には、光ディスク媒体１の半径方向に沿って伸びる基準線が予め形成されている。基準線の位置は、光検出器１６で反射光を受けることにより検出することができる。基準線の位置と、光ディスク媒体１の回転速度と、光ディスク媒体１の半径方向に沿った集光レンズ１２の位置とから、記録層５上の光スポットの位置を検出することができる。
【００５０】
本実施形態では、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【００５１】
また、１つの光ピックアップ装置１００に第１光源６と第２光源７との両方を搭載し、第１光源６と第２光源７とで光学系２０を共用することで、光ピックアップ装置１００を搭載する光ディスク装置の小型化を実現することができる。
【００５２】
なお、情報層２へユーザデータを記録するときと記録層５へ視認情報を記録するときとでレーザ光を使い分けるので、レーザ光６ａのパワーとレーザ光７ａのパワーとは、同一であってもよいし異なっていてもよい。同様に、レーザ光６ａと集光レンズ１２との関係から得られる開口数ＮＡと、レーザ光７ａと集光レンズ１２との関係から得られる開口数ＮＡとは、同一であってもよいし異なっていてもよい。
【００５３】
記録層５は、レーザ光７ａの照射による発熱に応じて発色する感熱発色物質を含んでいる。記録層５に記録した文字や絵等の視認情報を視認し易くするためには、記録された文字や絵等のコントラストが高いことが望ましい。熱により感熱発色物質が黒色へ変化する場合には、変化前の記録層５の色は白色または白色に近い淡色であることが望ましい。情報層２は視認性を考慮しなくてもよいので、その材料としてレーザ光を吸収し易い有色物質が用いられるため光熱交換効率は高い。これに対して、上述のように記録層５の色が白色または淡色の場合は光熱変換効率が低くなってしまう。このため、視認情報の記録速度を向上させるためには、光スポットのエネルギー密度を高めることは重要である。
【００５４】
また、第２光源７の定格出力パワーは、第１光源６の定格出力パワーよりも大きいことが望ましい。レーザ光７ａのパワーがレーザ光６ａのパワーよりも大きいことで、視認情報の記録速度をさらに向上させることができる。
【００５５】
（実施形態２）
図３を参照して、本発明による光ピックアップ装置の第２の実施形態を説明する。図３は、本実施形態の光ピックアップ装置２００を示す図である。
【００５６】
光ピックアップ装置２００は、光ピックアップ装置１００（図１Ａ）の光学系２０の代わりに光学系２１を備える。光ピックアップ装置２００は、光源ユニット３５および３８を備える。
【００５７】
光源ユニット３５は、第１光源６と、第１光源６に近接して設けられた光検出器３３および３４とを備える。光源ユニット３８は、第２光源７と、第２光源７に近接して設けられた光検出器３６および３７とを備える。本実施形態では、レーザ光６ａはＰ波（横波）であり、レーザ光７ａはＳ波（縦波）である。
【００５８】
光学系２１は、光学系２０の第１および第２ビームスプリッタ８および９の代わりに、ビームスプリッタ２８を備える。ビームスプリッタ２８は、Ｐ波は反射してＳ波は透過する光学膜２８ａを備える。光学系２１は、光路上のミラー１１と集光レンズ１２との間に設けられた回折素子３９をさらに備える。
【００５９】
第１光源６は、光学膜２８ａに対してＰ波を放射するように配置されている。第１光源６が出力したレーザ光６ａは、光学膜２８ａで反射されて偏向し、コリメートレンズ１０で略平行光にされる。コリメートレンズ１０を透過したレーザ光６ａは、ミラー１１で反射されて、集光レンズ１２の光軸方向に沿って集光レンズ１２に入射する。略平行光の状態で入射したレーザ光６ａは集光レンズ１２によって集光されて情報層２へ照射される。照射されたレーザ光６ａは、情報層２に焦点が合わせられ、情報層２上に光スポットを形成する。第１光源６および光学系２１は、情報層２へレーザ光６ａを照射したときに発生する球面収差が最適に補正されるように位置決めされて配置されている。
【００６０】
パワーモニタ用光検出器１３は、コリメートレンズ１０を通過したレーザ光６ａの一部を検出し、検出信号をパワー制御回路１５に出力する。パワー制御回路１５は、検出信号からレーザ光６ａのパワーをモニタして、適正な駆動電流を第１光源６に供給する。
【００６１】
情報媒体１で反射された光は、集光レンズ１２を通った後、回折素子３９によって回折される。回折光（図示せず）は、ミラー１１、コリメートレンズ１０を通った後、ビームスプリッタ２８で反射される。反射された回折光は、光検出器３３および３４に入射する。光検出器３３および３４は、受け取った回折光から、フォーカスエラー信号、トラッキングエラー信号、情報層２に記録されているユーザデータを示すデータ信号等を生成する。処理回路１７は、光検出器３３および３４が生成したそれらの信号を受け取り、それらの信号に基づいて光ピックアップ装置２００の動作を制御する。
【００６２】
第２光源７は、光学膜２８ａに対してＳ波を放射するように配置されている。第２光源７が出力したレーザ光７ａは、光学膜２８ａを透過し、コリメートレンズ１０で収束光にされる。コリメートレンズ１０を透過したレーザ光７ａは、ミラー１１で反射され、集光レンズ１２の光軸方向に沿って集光レンズ１２に入射する。収束光の状態で入射したレーザ光７ａは集光レンズ１２によって集光されて記録層５へ照射され、記録層５上に光スポットを形成する。第２光源７および光学系２１は、記録層５へレーザ光７ａを照射したときに発生する球面収差が最適に補正されるように位置決めされて配置されている。
【００６３】
パワーモニタ用光検出器１３は、コリメートレンズ１０を通過したレーザ光７ａの一部を検出し、検出信号をパワー制御回路１５に出力する。パワー制御回路１５は、検出信号からレーザ光７ａのパワーをモニタして、適正な駆動電流を第２光源７に供給する。
【００６４】
上述したように光ディスク媒体１の情報層２側表面から情報層２までの距離と、光ディスク媒体の記録層５側表面から記録層５までの距離とは互いに異なっている。このため、同じ集光レンズ１２を用いて、情報層２および記録層５の両方に対して良好な集光状態を得るためには、球面収差の補正が必要となる。本実施形態でも、光学系２１を有限光学系とし、有限光学系に適用される球面収差補正法を用いて、球面収差が最適に補正されるように、第１光源６、第２光源７および光学系２１を配置している。
【００６５】
本実施形態でも、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【００６６】
また、１つの光ピックアップ装置２００に第１光源６と第２光源７との両方を搭載し、第１光源６と第２光源７とで光学系２１を共用することで、光ピックアップ装置２００を搭載する光ディスク装置の小型化を実現することができる。
【００６７】
なお、レーザ光６ａがＳ波であり、レーザ光７ａがＰ波であってもよく、この場合も、第１光源６、第２光源７および光学系２１は球面収差が最適に補正されるように配置される。
【００６８】
また、図４に示すように、Ｐ波は反射してＳ波は透過する光学膜１８ａを備えるガラスや白板の平板光学素子１８を、ビームスプリッタ２８の代わりに用いてもよい。第１および第２ビームスプリッタ８および９の代わりに、ビームスプリッタ２８や平板光学素子１８を用いることにより、光ピックアップ装置の簡素化および低コスト化を実現することができる。
【００６９】
（実施形態３）
図５（ａ）および図５（ｂ）を参照して、本発明による光ピックアップ装置の第３の実施形態を説明する。図５（ａ）は、本実施形態の光ピックアップ装置３００を示す図である。光ピックアップ装置３００は、ＤＶＤ型媒体の情報媒体１およびＣＤ型媒体の情報媒体１の両方に、ユーザデータおよび視認情報を記録することができる。図５（ａ）に示す情報媒体１の左側半分はＣＤ型媒体を示し、右側半分はＤＶＤ型媒体を示している。
【００７０】
ＣＤ型媒体の情報層２の材料とＤＶＤ型媒体の情報層２の材料とは、同一系統であってもよいし異なる系統であってもよい。例えば、両方の層が有機染料を主成分として含む層であってもよいし、一方が有機染料を主成分として含む層であって、他方がカルコゲナイド系化合物を主成分として含む層であってもよい。
【００７１】
光ピックアップ装置３００の光源ユニット３５は、第１光源６に隣接して設けられたレーザ光４０ａを出力する第３光源４０を備える。図５（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。
【００７２】
第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。
【００７３】
本実施形態では、レーザ光６ａおよび７ａは、ＤＶＤ型媒体の情報媒体１にユーザデータおよび視認情報を記録するときに用いられる。レーザ光４０ａおよび４１ａは、ＣＤ型媒体の情報媒体１にユーザデータおよび視認情報を記録するときに用いられる。レーザ光６ａおよび７ａの発振中心波長は約６６０ｎｍであり、レーザ光４０ａおよび４１ａの発振中心波長は約７９０ｎｍである。レーザ光６ａおよび７ａが出力したときの集光レンズ１２のＮＡが約０．６３となるように、また、レーザ光４０ａおよび４１ａが出力したときの集光レンズ１２のＮＡは約０．５０となるように、回折素子３９に開口膜３９ａが設けられている。
【００７４】
第３光源４０および光学系２１は、情報層２へレーザ光４０ａを照射したときに発生する球面収差が最適に補正されるように配置されており、第４光源４１および光学系２１は、記録層５へレーザ光４１ａを照射したときに発生する球面収差が最適に補正されるように配置されている。これにより、ＤＶＤ型媒体およびＣＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【００７５】
また、１つの光ピックアップ装置３００に４つの光源６、７、４０および４１を搭載し、それらの光源で光学系２１を共用することで、光ピックアップ装置３００を搭載する光ディスク装置の小型化を実現することができる。
【００７６】
また、情報媒体１がＢＤ型媒体である場合でもユーザデータおよび視認情報の記録が可能なように、発振中心波長約４０５ｎｍのレーザ光を出力する第５および第６の光源（図示せず）を、第１光源６および第２光源７に隣接して設けてもよい。
【００７７】
（実施形態４）
図６を参照して、本発明による光ピックアップ装置の第４の実施形態を説明する。図６は、本実施形態の光ピックアップ装置４００を示す図である。
【００７８】
光ピックアップ装置４００は、光ピックアップ装置２００（図３）の光学系２１の代わりに光学系２２を備える。光学系２２は、コリメートレンズ１０の代わりに、第１コリメートレンズ４２および第２コリメートレンズ４３を備える。
【００７９】
第１コリメートレンズ４２は、情報層２へレーザ光６ａを照射したときに発生する球面収差を最適に補正するように、光路上の第１光源６と集光レンズ１２との間に配置されている。本実施形態では、第１コリメートレンズ４２は、第１光源６とビームスプリッタ２８との間に配置されている。第２コリメートレンズ４３は、記録層５へレーザ光７ａを照射したときに発生する球面収差を最適に補正するように、光路上の第２光源７と集光レンズ１２との間に配置されている。本実施形態では、第２コリメートレンズ４３は、第２光源７とビームスプリッタ２８との間に配置されている。レーザ光６ａのための第１コリメートレンズ４２と、レーザ光７ａのための第２コリメートレンズ４３とを独立に設けることにより、レーザ光６ａおよび７ａのそれぞれに対して発生する球面収差の補正のためのコリメートレンズの位置決めの自由度が上がり、球面収差補正をより高精度に行うことができる。
【００８０】
また、上述したようなコリメートレンズを固定する構成は、コリメートレンズを移動させる構成と比較して、外乱に強いという利点がある。また、コリメートレンズを移動させる機構が不要であるので、光ピックアップ装置の構成をよりシンプルにすることができる。
【００８１】
本実施形態でも、情報層２へユーザデータを記録するときと記録層５へ視認情報を記録するときとでレーザ光を使い分け、それぞれの記録動作時に発生する球面収差が最適に補正されている。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【００８２】
また、１つの光ピックアップ装置４００に第１光源６と第２光源７との両方を搭載し、第１光源６と第２光源７とで光学系２２を共用することで、光ピックアップ装置４００を搭載する光ディスク装置の小型化を実現することができる。
【００８３】
（実施形態５）
実施形態３の光ピックアップ装置３００（図５）は、ＤＶＤ型媒体の情報媒体１およびＣＤ型媒体の情報媒体１の両方に、ユーザデータおよび視認情報を記録する。このＣＤ型媒体は、例えばＢＤ（Ｂｌｕ−ｒａｙ  Ｄｉｓｃ）型媒体やＨＤ−ＤＶＤ（Ｈｉｇｈ  Ｄｅｆｉｎｉｔｉｏｎ  ＤＶＤ）型媒体であってもよい。ＢＤ型媒体およびＨＤ−ＤＶＤ型媒体には、発振中心波長約４０５ｎｍのレーザ光を用いてデータが記録される。
【００８４】
図７（ａ）および図７（ｂ）を参照して、本発明による光ピックアップ装置の第５の実施形態を説明する。図７（ａ）は、本実施形態の光ピックアップ装置５００を示す図である。光ピックアップ装置５００は、ＤＶＤ型媒体の情報媒体１およびＨＤ−ＤＶＤ型媒体の情報媒体１の両方に、ユーザデータおよび視認情報を記録することができる。図７（ａ）に示す情報媒体１の左側半分はＨＤ−ＤＶＤ型媒体を示し、右側半分はＤＶＤ型媒体を示している。
【００８５】
光ピックアップ装置５００の光源ユニット３５は、第１光源６に隣接して設けられたレーザ光４０ａを出力する第３光源４０を備える。図７（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。
【００８６】
第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。
【００８７】
本実施形態では、レーザ光６ａおよび７ａは、ＤＶＤ型媒体の情報媒体１にユーザデータおよび視認情報を記録するときに用いられ、また、レーザ光４０ａおよび４１ａは、ＨＤ−ＤＶＤ型媒体の情報媒体１にユーザデータおよび視認情報を記録するときに用いられる。本実施形態では、レーザ光６ａおよび７ａの発振中心波長は約６６０ｎｍであり、レーザ光４０ａおよび４１ａの発振中心波長は約４０５ｎｍである。レーザ光６ａおよび７ａが出力したときの集光レンズ１２のＮＡが約０．６３となるように、また、レーザ光４０ａおよび４１ａが出力したときの集光レンズ１２のＮＡは約０．８５となるように、回折素子３９に開口膜３９ａが設けられている。
【００８８】
光ピックアップ装置５００は、コリメートレンズ１０を支持するＣＬ支持部材６１と、コリメートレンズ１０およびＣＬ支持部材６１をレーザ光軸方向２１ａに沿って移動させる駆動部６２とを備える。駆動部６２は、ステッピングモーターなどの送り装置であり、コリメートレンズ１０の位置を調整することができる。
【００８９】
ここでＨＤ−ＤＶＤ型媒体の情報層の記録密度は約１５ＧＢであり、高密度の記録再生を行うために、光スポットの大きさは、ＤＶＤ型媒体に対して記録再生を行うための光スポットの大きさよりも小さい必要がある。このことから、正確な記録再生を行うためには、より高精度な球面収差補正が必要となる。このため、駆動部６２によって、光学系２１中のコリメートレンズ１０の位置をＣＬ支持部材６１とともに移動させ、最適な球面収差となるようなコリメートレンズ１０の位置決めを行う。最適な球面収差の位置とは、例えば、情報層２からの信号レベルが最大となる位置やジッターが最小となる位置である。情報層２の学習領域に対して記録または再生を行ったときに、駆動部６２によってコリメートレンズ１０の位置を移動させ、情報層２からの信号レベルが最大となる位置やジッターが最小となる位置を、最適な球面収差の位置として決定する。
【００９０】
また、コリメートレンズ１０が移動すべき位置を予め決めておき、メモリ等に記憶しておいてもよい。選択された層に対して記録または再生を行う場合は、その層に対して予め決められたコリメートレンズ１０の位置までコリメートレンズ１０を移動させる。
【００９１】
コリメートレンズ１０の位置を調整することにより、ＤＶＤ型媒体およびＨＤ−ＤＶＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【００９２】
また、１つの光ピックアップ装置５００に４つの光源６、７、４０および４１を搭載し、それらの光源で光学系２１を共用することで、光ピックアップ装置５００を搭載する光ディスク装置の小型化を実現することができる。
【００９３】
（実施形態６）
次に、図８（ａ）および図８（ｂ）を参照して、ＤＶＤ型媒体の情報媒体１およびＢＤ型媒体の情報媒体１の両方に、ユーザデータおよび視認情報を記録する光ピックアップ装置を説明する。図８（ａ）は、本実施形態の光ピックアップ装置６００を示す図である。光ピックアップ装置６００は、ＤＶＤ型媒体の情報媒体１およびＢＤ型媒体の情報媒体１の両方に、ユーザデータおよび視認情報を記録することができる。図８（ａ）に示す左側の情報媒体１はＤＶＤ型媒体を示し、右側の情報媒体１はＢＤ型媒体を示している。
【００９４】
光ピックアップ装置６００の光源ユニット３５は、第１光源６に隣接して設けられたレーザ光４０ａを出力する第３光源４０を備える。図８（ｂ）は矢印Ａの方向から見た光源ユニット３８を示す図である。光源ユニット３８は、第２光源７に隣接して設けられたレーザ光４１ａを出力する第４光源４１を備える。レーザ光４０ａおよび４１ａの発振中心波長は、レーザ光６ａおよび７ａの発振中心波長と異なっている。光学系２１の回折素子３９は、波長選択性を有する開口膜３９ａを備える。なお、この開口膜３９ａは集光レンズ１２に設けられていてもよい。
【００９５】
第１光源６の発光点と第３光源４０の発光点との間には所定の間隙（例えば１１０μｍ）があけられている。第２光源７の発光点と第４光源４１の発光点との間には所定の間隙（例えば１１０μｍ）があけられている。
【００９６】
本実施形態では、レーザ光６ａおよび７ａは、ＤＶＤ型媒体の情報媒体１にユーザデータおよび視認情報を記録するときに用いられる。レーザ光４０ａおよび４１ａは、ＢＤ型媒体の情報媒体１にユーザデータおよび視認情報を記録するときに用いられる。レーザ光６ａおよび７ａの発振中心波長は約６６０ｎｍであり、レーザ光４０ａおよび４１ａの発振中心波長は約４０５ｎｍである。
【００９７】
本実施形態の光学系２１は、発振中心波長約４０５ｎｍのレーザ光を反射する第２のミラー７１と、そのレーザ光を集光する第２の集光レンズ７２と、光路上のミラー７１と第２の集光レンズ７２との間に設けられた回折素子７９とを備える。
【００９８】
本実施形態のミラー１１には蒸着膜１１ａが形成されており、ミラー１１は、発振中心波長約６６０ｎｍのレーザ光を反射し、発振中心波長約４０５ｎｍのレーザ光を透過する。レーザ光６ａおよび７ａが出力されたときの集光レンズ１２のＮＡが約０．６３となるように、回折素子３９に開口膜３９ａが設けられている。また、レーザ光４０ａおよび４１ａが出力されたときの第２の集光レンズ７２のＮＡが約０．８５となるように、回折素子７９に開口膜７９ａが設けられている。
【００９９】
光ピックアップ装置６００は、ＣＬ支持部材６１と、駆動部６２とを備えている。
【０１００】
ここでＢＤ型媒体の情報層の記録密度は約２５ＧＢであり、高密度の記録再生を行うために、光スポットの大きさは、ＤＶＤ型媒体に対して記録再生を行うための光スポットの大きさよりも小さい必要がある。このことから、正確な記録再生を行うためには、より高精度な球面収差補正が必要となる。このため、駆動部６２によって、光学系２１中のコリメートレンズ１０の位置をＣＬ支持部材６１とともに移動させ、最適な球面収差となるようなコリメートレンズ１０の位置決めを行う。最適な球面収差の位置とは、例えば、情報層２からの信号レベルが最大となる位置やジッターが最小となる位置である。情報層２の学習領域に対して記録または再生を行ったときに、駆動部６２によってコリメートレンズ１０の位置を移動させ、情報層２からの信号レベルが最大となる位置やジッターが最小となる位置を、最適な球面収差の位置として決定する。
【０１０１】
また、コリメートレンズ１０が移動すべき位置を予め決めておき、メモリ等に記憶しておいてもよい。選択された層に対して記録または再生を行う場合は、その層に対して予め決められたコリメートレンズ１０の位置までコリメートレンズ１０を移動させる。
【０１０２】
コリメートレンズ１０の位置を調整することにより、ＤＶＤ型媒体およびＢＤ型媒体それぞれの情報層２および記録層５に対して最適な光スポットを形成することができる。このため、安定した記録動作および記録品質の向上を実現することができる。また、最適な球面収差補正を行うことにより光スポットのエネルギー密度が高まるため、視認情報の高速記録が可能となる。光スポットのエネルギー密度が高まることで、レーザ光のパワーを上げなくても視認情報の高速記録が可能となるので、光源の寿命も延ばすことができる。
【０１０３】
また、１つの光ピックアップ装置６００に４つの光源６、７、４０および４１を搭載し、それらの光源で光学系２１を共用することで、光ピックアップ装置６００を搭載する光ディスク装置の小型化を実現することができる。
【０１０４】
なお、光ピックアップ装置５００および６００の光源ユニット３５および３８がＣＤ型媒体用の光源をさらに備え、ＣＤ型媒体にもユーザデータおよび視認情報を記録してもよい。上述した光ピックアップ装置１００〜６００の各構成要素は、光ピックアップ装置の使用目的に応じて様々に組み合わせられる。
【０１０５】
以上、本発明の好適な実施形態を説明することにより本発明を例示してきたが、本発明はこれらの実施形態に限定して解釈されるべきものではない。本発明は、特許請求の範囲によってのみその範囲が解釈されるべきであることが理解される。
【産業上の利用可能性】
【０１０６】
本発明の光ピックアップ装置は、ユーザが直接視認可能な視認情報を情報媒体に記録する技術分野において特に好適に用いられる。
【図面の簡単な説明】
【０１０７】
【図１Ａ】本発明の実施形態１による光ピックアップ装置を示す図である。
【図１Ｂ】本発明の実施形態１による光ディスク装置を示す図である。
【図２】（ａ）は本発明の実施形態１によるＤＶＤ型情報媒体を示す図であり、（ｂ）は本発明の実施形態１によるＣＤ型情報媒体を示す図である。
【図３】本発明の実施形態２による光ピックアップ装置を示す図である。
【図４】本発明の実施形態２による光ピックアップ装置の別の例を示す図である。
【図５】本発明の実施形態３による光ピックアップ装置を示す図である。
【図６】本発明の実施形態４による光ピックアップ装置を示す図である。
【図７】本発明の実施形態５による光ピックアップ装置を示す図である。
【図８】本発明の実施形態６による光ピックアップ装置を示す図である。
【図９】（ａ）は光ピックアップ装置が備える集光レンズと色素記録層とが対向するようにセットされた状態の光ディスク媒体を示す図であり、（ｂ）は集光レンズと感熱層とが対向するようにセットされた状態の情報媒体を示す図である。
【符号の説明】
【０１０８】
１  情報媒体
２  情報層
３、４  透明基板
５  視認情報記録層
６  第１光源
７  第２光源
８  第１ビームスプリッタ
９  第２ビームスプリッタ
１０  コリメートレンズ
１１  ミラー
１２  集光レンズ
１３、１４  パワーモニタ用光検出器
１５  パワー制御回路
１６、３３、３４、３６、３７  光検出器
１７  処理回路
１８  光学素子
１８ａ、２８ａ  光学膜
３５、３８  光源ユニット
３９、７９  回折素子
３９ａ、７９ａ  開口膜
４０  第３光源
４１  第４光源
４２  第１コリメートレンズ
４３  第２コリメートレンズ
１００、２００、３００、４００、５００、６００  光ピックアップ装置
【手続補正３】
【補正対象書類名】図面
【補正対象項目名】全図
【補正方法】変更
【補正の内容】
【図１Ａ】
2007069426.tif 000013
【図１Ｂ】
2007069426.tif 000014
【図２】
2007069426.tif 000015
【図３】
2007069426.tif 000016
【図４】
2007069426.tif 000017
【図５】
2007069426.tif 000018
【図６】
2007069426.tif 000019
【図７】
2007069426.tif 000020
【図８】
2007069426.tif 000021
【図９】
2007069426.tif 000022
【国際調査報告】
2007069426.tif 000023
2007069426.tif 000024
2007069426.tif 000025
2007069426.tif 000026
2007069426.tif 000027
2007069426.tif 000028
2007069426.tif 000029
2007069426.tif 000030
2007069426.tif 000031
2007069426.tif 000032
2007069426.tif 000033
2007069426.tif 000034
2007069426.tif 000035
2007069426.tif 000036